【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
グループ情報としての連続物の放送プログラムを記述する記述情報をクライアントに供給する方法であって、
その放送プログラムのグループタイプ情報と基本記述情報を含むグループ情報を生成する段階であって、前記グループタイプ情報は連続物のグループを表し、基本記述情報は少なくとも一つのタイトル、ジャンル、前記連続物の放送プログラムのクレジットリストを含む、前記段階と、
その生成されたグループ情報をクライアントに伝送する段階と
を有することを特徴とする方法
【請求項２】
前記連続物の放送プログラムが順序づけられた又は順序づけられていないプログラムの集まりである請求項１記載の方法。
【請求項３】
さらに、前記グループ情報を識別する内容基準識別情報を伝送する段階を含む請求項１記載の方法。
【請求項４】
前記基本記述情報が、同じ内容基準識別情報を持つ放送プログラムに共通に適用できる共通特徴情報と、同じ内容基準識別情報を持つ放送プログラムの一つのプログラムに適用できる固有情報とを含む請求項１記載の方法。
【請求項５】
前記共通特徴情報がクライアントによって一度だけ格納され、同じ内容基準識別情報を有する複数のプログラムの各受信したプログラムに対して格納された前記固有情報にリンクされる請求項４記載の方法。
【請求項６】
前記固有情報はすじ、放送回数、放送時間から選択された少なくとも一つを含む請求項５記載の方法。
【請求項７】
放送プログラムの集まりをグループ情報として記述する記述情報をクライアントに供給する装置であって、
前記放送プログラムの集まりのグループタイプ情報と基本記述情報を含むグループ情報を生成し、その生成されたグループ情報をクライアントに送るように構成され、前記グループタイプ情報はグループタイプの識別情報を表し、基本記述情報は前記放送プログラムの集まりに関するメタデータを含むサーバーを有することを特徴とする装置。
【請求項８】
前記グループタイプ識別情報が、連続物、編集、ショー、プログラムの集まり及びその他の集まりから選ばれた一つである請求項７記載の装置。
【請求項９】
前記連続物の放送プログラムが順序づけられた又は順序づけられていないプログラムの集まりである請求項８記載の装置。
【請求項１０】
前記グループタイプ識別情報が連続物のグループタイプであり、前記基本記述情報がタイトル、ジャンル、放送のプログラムの集まりのＣｒｄｉｔｓＬｉｓｔから選ばれた少なくとも一つを含む請求項７記載の装置。
【請求項１１】
前記サーバーがさらに前記グループ情報を識別する内容基準識別情報を送る請求項７記載の装置。
【請求項１２】
前記基本記述情報が同じ内容基準識別情報を持つ放送プログラムに共通に適用できる共通特徴情報と、同じ内容基準識別情報を持つ放送プログラムの一つのプログラムに適用できる固有情報とを含む請求項７記載の装置。
【請求項１３】
前記共通特徴情報がクライアントによって一度だけ格納され、前記同じ内容基準識別情報を持つ放送プログラムの各受信した放送プログラムに対して格納された前記固有情報にリンクされる請求項１２記載の装置。
【請求項１４】
前記固有情報がすじ、放送回数分、放送時間の何れかを含む請求項１３記載の装置。
【請求項１５】
放送プログラムの集まりを供給者から送られたグループ情報として記述する記述情報を処理する方法であって、
前記放送プログラムの、グループタイプの識別情報を表すグループタイプ情報と前記放送プログラムの集まりの一つに関するメタ情報を含む基本記述情報を含むグループ情報を受け取り、
前記供給者から受け取ったグループ情報を格納する
ことを含むことを特徴とする方法。
【請求項１６】
前記グループ情報が内容基準識別情報によって識別される請求項１５記載の方法。
【請求項１７】
前記グループタイプ識別情報が、連続物、編集、ショー、プログラムの集まり及びその他の集まりから選択された一つであり、前記連続物の放送プログラムが順序づけられた又は順序づけられていないプログラムの集まりである請求項１５記載の方法。
【請求項１８】
前記グループタイプ識別情報が連続物のグループタイプであり、前記基本記述情報がタイトル、ジャンル、前記放送プログラムのクレジットリストから選択された一つである請求項１５記載の方法。
【請求項１９】
前記基本記述情報が同じ内容基準識別情報をもつプログラムに適用できる情報の第１と第２のタイプを含む請求項１８記載の方法。
【請求項２０】
前記基本記述情報が同じ内容基準識別情報を持つプログラムに共通に適用できる共通特徴情報と、前記同じ内容基準識別情報を持つプログラムの一つに適用できる固有情報とを含む請求項１５記載の方法。
【請求項２１】
前記共通特徴情報がクライアントによって一度だけ格納され、同じ内容基準識別情報を持つプログラムのそれぞれの受信したプログラムのために格納した固有情報にリンクされる請求項２０記載の方法。
【請求項２２】
前記固有データが少なくともすじ、放送回数、放送時間から選ばれた一つを含む請求項２１記載の方法。
【請求項２３】
供給者から伝送されたグループ情報として連続物の放送プログラムを記述する記述情報を処理する装置であって、
前記グループ情報を受信するように構成され、放送プログラムのグループタイプ情報と基本記述情報を含み、前記グループタイプ情報が連続物のグループを表し、基本記述情報は少なくとも一つのタイトル、ジャンル、前記連続物の放送プログラムのクレジットリストを含む端末機と、
その端末機内で前記受信したグループ情報を格納するように構成されたメモリ部と
を有することを特徴とする装置。
【請求項２４】
前記連続物の放送プログラムが順序づけられたまたは順序づけられていないプログラムの集まりである請求項２３記載の装置。
【請求項２５】
前記端末機が前記グループ情報を識別する内容基準識別情報をさらに受信する請求項２３記載の装置。
【請求項２６】
前記基本記述情報が同じ内容基準識別情報を持つ放送プログラムに共通に適用できる共通特徴情報と、同じ内容基準識別情報を持つ放送プログラムの一つのプログラムに適用できる固有情報とを含む請求項２３記載の装置。
【請求項２７】
前記共通特徴情報がクライアントによって一度だけ格納され、前記同じ内容基準識別情報を持つ放送プログラムの各受信した放送プログラムに対して格納された前記固有情報にリンクされる請求項２６記載の装置。
【請求項２８】
前記固有情報がすじ、放送回数分、放送時間の何れかを含む請求項２７記載の装置。
【請求項２９】
連続物の放送プログラムをグループ情報として記述する記述情報を記述する方法であって、
その放送プログラムのグループタイプ情報と基本記述情報を含むグループ情報を生成するステップを有し、前記グループタイプ情報は連続物のグループを表し、基本記述情報は少なくとも一つのタイトル、ジャンル、前記連続物の放送プログラムのクレジットリストを含む方法。
【請求項３０】
前記連続物の放送プログラムが順序づけられた又は順序づけられていないプログラムの集まりである請求項２９記載の方法。
【請求項３１】
前記記述情報が前記グループ情報を識別する内容基準識別情報をさらに含む請求項３０記載の方法。
【請求項３２】
前記基本記述情報が、同じ内容基準識別情報を持つ放送プログラムに共通に適用できる共通特徴情報と、同じ内容基準識別情報を持つ放送プログラムの一つのプログラムに適用できる固有情報とを含む請求項２９記載の方法。
【請求項３３】
前記共通特徴情報がクライアントによって一度だけ格納され、同じ内容基準識別情報を有する複数のプログラムの各受信したプログラムに対して格納された前記固有情報にリンクされる請求項３２記載の方法。
【請求項３４】
前記固有情報はすじ、放送回数、放送時間から選択された少なくとも一つを含む請求項３３記載の方法。
【請求項３５】
放送プログラムの集まりをグループ情報として記述する記述情報を記述する装置であって、
前記放送プログラムの集まりのグループタイプ情報と基本記述情報とを含むグループ情報を生成し、その生成されたグループ情報をクライアントに送るように構成され、基本記述情報は前記放送プログラムの集まりに関するメタデータを含むサーバーを有することを特徴とする装置。
【請求項３６】
前記グループタイプ識別情報が、連続物、編集、ショー、プログラムの集まり及びその他の集まりから選ばれた一つである請求項３５記載の装置。
【請求項３７】
前記連続物の放送プログラムが順序づけられた又は順序づけられていないプログラムの集まりである請求項３６記載の装置。
【請求項３８】
前記グループタイプ識別情報が連続物のグループタイプであり、前記基本記述情報がタイトル、ジャンル、前記放送プログラムの集まりのクレジットリストから選ばれた少なくとも一つを含む請求項３５記載の装置。
【請求項３９】
前記記述情報がさらに前記グループ情報を識別する内容基準識別情報を含む請求項３５記載の装置。
【請求項４０】
前記基本記述情報が同じ内容基準識別情報を持つ放送プログラムに共通に適用できる共通特徴情報と、同じ内容基準識別情報を持つ放送プログラムの一つのプログラムに適用できる固有情報とを含む請求項３５記載の装置。
【請求項４１】
前記共通特徴情報がクライアントによって一度だけ格納され、前記同じ内容基準識別情報を持つ放送プログラムの各受信した放送プログラムに対して格納された前記固有情報にリンクされる請求項４０記載の装置。
【請求項４２】
前記固有情報がすじ、放送回数分、放送時間の何れかを含む請求項４１記載の装置。
【手続補正２】
【補正対象書類名】明細書
【補正対象項目名】０００９
【補正方法】変更
【補正の内容】
【０００９】
前記のようなユーザ中心のサービスは、ユーザの履歴情報を作成してユーザの嗜好度をサーチした後、嗜好度を反映するマルチメディア検索及び表示方法であって、既に米国Ｔｉｖｏ／ＲｅｐｌａｙＴＶなどで商用サービスとして広く用いられている。
【手続補正３】
【補正対象書類名】明細書
【補正対象項目名】００１４
【補正方法】変更
【補正の内容】
【００１４】
【発明が解決しようとする課題】
然るに、このような従来マルチメディアデータ描写情報の処理装置及びその方法においては、ユーザが視聴したプログラムの特定情報を毎回使用履歴情報として記録するので、特定情報の処理段階が漸次増加し、効率的に放送プログラム情報を利用することができなくなり、情報の格納空間及び処理時間が浪費されるという不都合な点があった。
【手続補正４】
【補正対象書類名】明細書
【補正対象項目名】００３０
【補正方法】変更
【補正の内容】
【００３０】
前記のような実施形態に基づいて、写情報記述部１１０はマルチメディアデータに附加した描写情報を次のように決めて、端末機２００に伝送する。
【手続補正５】
【補正対象書類名】図面
【補正対象項目名】図２
【補正方法】変更
【補正の内容】
【図２】
2002082980.tif 000001
【手続補正６】
【補正対象書類名】図面
【補正対象項目名】図４
【補正方法】変更
【補正の内容】
【図４】
2002082980.tif 000002
【手続補正７】
【補正対象書類名】図面
【補正対象項目名】図５
【補正方法】変更
【補正の内容】
【図５】
2002082980.tif 000003
【手続補正８】
【補正対象書類名】図面
【補正対象項目名】図６
【補正方法】変更
【補正の内容】
【図６】
2002082980.tif 000004